(57)【要約】【課題】  タイル等の平板建築資材を迅速に任意の寸法に切断することができる平板建築資材用カッター装置を提供する。【解決手段】    平板建築資材用カッター装置が、傾斜面を設けた傾斜台と、滑落する平板建築資材を切断する回転刃を具備するカッターと、回転刃を傾斜面から所定の高さに設置するカッター固定手段とを有し、カッター固定手段が、傾斜台の幅方向両端間に架け渡されるカッターレールと、カッターレールに沿って移動可能な可動支持部と、可動支持部に取付られかつカッターの筐体を支持するカッターホルダーとを具備する。【選択図】  図１
2005131958.tif 000002
【特許請求の範囲】
【請求項１】
傾斜面を設けた傾斜台と、前記傾斜面上を滑落する平板建築資材を切断する回転刃を具備するカッターと、前記回転刃を前記傾斜面から所定の高さに設置すべく前記カッターを固定するカッター固定手段とを有し、
前記カッター固定手段が、前記傾斜面の傾斜方向に垂直な方向にて前記傾斜台の両端間に架け渡されるカッターレールと、前記カッターレールに沿って移動可能な可動支持部と、前記可動支持部に取り付けられかつ前記カッターの筐体を支持するカッターホルダーとを具備することを特徴とする
平板建築資材用カッター装置。
【請求項２】
前記カッターレールがレール溝を具備すると共に、前記可動支持部が前記レール溝に嵌合する形状の嵌合部を具備することを特徴とする請求項１に記載の平板建築資材用カッター装置。
【請求項３】
前記カッターレールが一対のレールロッドを具備すると共に、前記可動支持部が前記一対のレールロッドをそれぞれ貫通させる一対の孔からなる嵌合部を具備することを特徴とする請求項１に記載の平板建築資材用カッター装置。
【請求項４】
前記回転刃の前記傾斜面からの高さを変化させるべく前記可動支持部に対する前記カッターホルダーの取付位置を調節する手段を具備することを特徴とする請求項１〜３のいずれかに記載の平板建築資材用カッター装置。
【請求項５】
前記滑落する平板建築資材の側面に当接させるべく前記傾斜方向と平行な方向にて前記傾斜面の両端間に延在する側面ストッパを具備することを特徴とする請求項４に記載の平板建築資材用カッター装置。
【請求項６】
前記側面ストッパが前記傾斜方向に垂直な方向に可動であることを特徴とする請求項５に記載の平板建築資材用カッター装置。
【請求項７】
前記平板建築資材が折れ曲がり部分を具備する場合にその折れ曲がり部分を受容すべく、前記傾斜台の傾斜面上に前記傾斜方向に沿って延在するスリットを設けたことを特徴とする請求項１〜６のいずれかに記載の平板建築資材用カッター装置。
【請求項８】
前記傾斜面の傾斜方向に垂直な方向において前記傾斜台の一方の側が他方の側より低くなるべく第２の傾斜を設けたことを特徴とする請求項１〜７のいずれかに記載の平板建築資材用カッター装置。
【請求項９】
前記回転刃の面の前記傾斜面に対する角度を調節する手段をさらに設けたことを特徴とする請求項１〜８のいずれかに記載の平板建築資材用カッター装置。
【発明の詳細な説明】
【技術分野】
【０００１】
本発明は、タイル等の平板建築資材を切断し若しくは切溝を形成するための平板建築資材用カッター装置に関する。
【背景技術】
【０００２】
モザイクタイル等の既成の平板建築資材は、施工の際、必要な大きさ（縦横の寸法）とするために切断加工しなければならない場合がある。最も単純な方法としては、例えば、タイルに目安となる切断線をマジック等で予め描いた後、タイルを固定し、円盤状の電動カッターを操作してマジックで描かれた切断線に沿って切断していた。
【０００３】
また、自動機構を取り入れた既存のタイルカッター装置等も、下記特許文献１〜６に例示されるように極めて多数の構造が提示されている。それらの多くは、円盤状等の電動カッターとタイル固定手段若しくはタイル搬送手段とを組み合わせたものである。例えば、下記特許文献２及び５に記載のように、タイルを固定しておき電動カッターを直線状に移動させてタイルを切断する方式と、下記特許文献１、３、４及び６に記載のように、電動カッターを固定しておきタイルを直線状に移動させてタイルを切断する方式とがある。
【０００４】
【特許文献１】特開平７−９６５１５号公報
【特許文献２】特開平７−１４８７３０号公報
【特許文献３】特開平１１−１９９２２号公報
【特許文献４】特開２００１−２７７０８５号公報
【特許文献５】特開２００１−２８７２２１号公報
【特許文献６】特開２００１−２１２８１９号公報
【発明の開示】
【発明が解決しようとする課題】
【０００５】
しかしながら、特許文献１〜６に示される既存のタイルカッター装置等は、タイルかカッターのいずれかを直線状に移動させるための駆動機構が必要であるため、切断用の電動カッターを駆動する以外にも動力コストがかさむ上に、構造が複雑となる。また、電動式等の駆動機構を用いず、手動でタイルかカッターのいずれかを動かす場合には、作業負担が大きくなる。さらに、既存のタイルカッター装置等は、タイル及びカッターを水平に固定若しくは移動させる方式であるため、装置全体が大型となり、広い設置空間を占めることになる。
【０００６】
尚、施工内容によっては、数十枚、数百枚のタイル等の平板建築資材を加工することが必要であるので、できるだけ作業を迅速かつ簡単に行うことができ、作業負担の少ないカッター装置であることが要求される。
【０００７】
以上の現状に鑑み、本発明の目的は、タイル等の平板建築資材又はカッターの移動のための動力や駆動機構を必要せず、平板建築資材を迅速かつ確実に任意の寸法に切断することができ、さらにコンパクトな平板建築資材用カッター装置を提供することを目的とする。さらに、作業負担が少なく、簡易に使用できる平板建築資材用カッター装置を提供することを目的とする。
【課題を解決するための手段】
【０００８】
上記の目的を達成すべく本発明は、以下の構成を提供する。
（１）請求項１に記載の平板建築資材用カッター装置は、傾斜面を設けた傾斜台と、前記傾斜面上を滑落する平板建築資材を切断する回転刃を具備するカッターと、前記回転刃を前記傾斜面から所定の高さに設置すべく前記カッターを固定するカッター固定手段とを有し、前記カッター固定手段が、前記傾斜面の傾斜方向に垂直な方向にて前記傾斜台の両端間に架け渡されるカッターレールと、前記カッターレールに沿って移動可能な可動支持部と、前記可動支持部に取り付けられかつ前記カッターの筐体を支持するカッターホルダーとを具備することを特徴とする。
【０００９】
（２）請求項２に記載の平板建築資材用カッター装置は、請求項１において、前記カッターレールがレール溝を具備すると共に、前記可動支持部が前記レール溝に嵌合する形状の嵌合部を具備することを特徴とする。
【００１０】
（３）請求項３に記載の平板建築資材用カッター装置は、請求項１において、前記カッターレールが一対のレールロッドを具備すると共に、前記可動支持部が前記一対のレールロッドをそれぞれ貫通させる一対の孔からなる嵌合部を具備することを特徴とする。
【００１１】
（４）請求項４に記載の平板建築資材用カッター装置は、請求項１〜３のいずれかにおいて、前記回転刃の前記傾斜面からの高さを変化させるべく前記可動支持部に対する前記カッターホルダーの取付位置を調節する手段を具備することを特徴とする。
【００１２】
（５）請求項５に記載の平板建築資材用カッター装置は、請求項４において、前記滑落する平板建築資材の側面に当接させるべく前記傾斜方向と平行な方向にて前記傾斜面の両端間に延在する側面ストッパを具備することを特徴とする。
【００１３】
（６）請求項６に記載の平板建築資材用カッター装置は、請求項５において、前記側面ストッパが前記傾斜方向に垂直な方向に可動であることを特徴とする。
【００１４】
（７）請求項７に記載の平板建築資材用カッター装置は、請求項１〜６のいずれかにおいて、前記平板建築資材が折れ曲がり部分を具備する場合にその折れ曲がり部分を受容すべく、前記傾斜台の傾斜面上に前記傾斜方向に沿って延在するスリットを設けたことを特徴とする。
【００１５】
（８）請求項８に記載の平板建築資材用カッター装置は、請求項１〜７のいずれかにおいて、前記傾斜面の傾斜方向に垂直な方向において前記傾斜台の一方の側が他方の側より低くなるべく第２の傾斜を設けたことを特徴とする。
【００１６】
（９）請求項９に記載の平板建築資材用カッター装置は、請求項１〜８のいずれかにおいて、前記回転刃の面の前記傾斜面に対する角度を調節する手段をさらに設けたことを特徴とする。
【発明の効果】
【００１７】
本発明による平板建築資材用カッター装置は、傾斜面の途中にカッターを固定することにより、傾斜面の上端から投入されたタイル等の平板建築資材が重力に従って傾斜面上を滑落する途中でカッターにより切断され、そのまま傾斜面の下端まで落下するように構成したものである。
【００１８】
本装置は、重力を利用して平板建築資材が自然落下する途中において切断が行われるので、カッターの回転刃を駆動する以外には、平板建築資材やカッターを移送するための駆動機構や動力を必要としない。
【００１９】
また、傾斜台を作業ベースとしているので、水平な台を作業ベースとする従来のタイルカッター装置等に比べて占有空間（設置面積）を小さくすることができる。
【００２０】
さらに、本装置は、作業者にとっては平板建築資材を傾斜面に投入する作業のみであるので、迅速かつ簡単に切断作業を行うことができ、大量の平板建築作業を切断しなければならない場合には極めて有効である。
【００２１】
またさらに、カッターをカッターレールに沿って傾斜方向に垂直な方向に可動であるので、傾斜台の幅方向の任意の位置に固定することができる。これにより、平板建築資材の切断位置を調節することができる。
【００２２】
また、平板建築資材の側面を当接させる側面ストッパを可動とすることによっても、平板建築資材の切断位置を調節することができる。側面ストッパには、平板建築資材の横ずれ防止効果もある。
【００２３】
傾斜面上に折れ曲がり資材の折れ曲がり部分を収容するスリットを設けることにより、その折れ曲がり部分が切断の妨げにならない。
【００２４】
傾斜面の傾斜方向に垂直な方向において傾斜台の一方の側が他方の側より低くなるように第２の傾斜を設けることにより、平板建築資材が側面ストッパの方へ押し当てられ、横ずれ防止効果がさらに高まる。
【発明を実施するための最良の形態】
【００２５】
以下、図面に示す実施例を参照しつつ本発明による平板建築資材用カッター装置の実施の形態を説明する。尚、本明細書中で「平板建築資材を切断する」という場合は、広い意味で解され、平板建築資材を完全に切り離す場合と、切溝を形成するのみで完全には切り離さない場合の双方を含むこととする。切溝を形成した場合は、その後の作業においてその切溝に沿って簡単に平板建築資材を割ることができる。また、平板建築資材として代表的なものには陶器製のタイルがあるが、これ以外にも石材、レンガ等、種々の材料から作製された平板を含む。
【００２６】
図１は、本発明による平板建築資材用カッター装置の一実施例の外観を示す側面図である。また、図２は、図１に示した矢印Ｘ１に沿って平板建築資材用カッター装置を見たＸ１矢視図である。以下、平板建築資材がタイルである場合について説明する。
本発明による平板建築資材用カッター装置１０は、傾斜面を設けた傾斜台１２と、傾斜面上を滑落するタイル３０ａ〜３０ｄを切断する回転刃２２を具備するカッター２０と、回転刃２２を傾斜面から所定の高さに設置すべくカッター２０を固定するカッター固定手段とを有する。傾斜面の傾斜角度をθ１で示す。
【００２７】
尚、安全のために、回転刃２２を覆うように安全のために回転刃カバー２３が設けられている。カッター２０の筐体２１内には回転刃２２を駆動するモータ等が収容される。カッター２０の筐体２１の後端からは電源コード２４が延び、商用電源へ接続される。
【００２８】
図１及び図２の実施例では、カッター固定手段が、複数の部品から構成されている。先ず、傾斜面の傾斜方向に垂直な方向にて傾斜台１２の両端間に架け渡されるカッターレール１６を設ける。カッターレール１６の両端のレール取付部１６ａ、１６ｂはそれぞれ、傾斜台１２の幅方向の両端に固定されている。カッターレール１６と傾斜面との間には隙間がある。この隙間の大きさは、タイル３０ａ等がカッターレール１６の下を通過する際に支障がないように、対象とするタイル３０ａ等の厚さより大きくする。カッターレール１６上に取り付けられた可動支持部１７は、矢印Ｓ０で示すように、カッターレール１６に沿って傾斜台の幅全体に亘って移動可能である。可動支持部１７は、所定の位置を選択して固定具１７ａを締めることによりカッターレール１６に対して固定できる。一方、可動支持部１７にはカッター２０を支持するカッターホルダー１９が取り付けられる。本実施例では、可動支持部１７の側面から平板状のカッター連結部１８が延びており、カッター連結部１８の先端部分においてボルト等のホルダー固定具１９ａによりカッターホルダー１９が取り付けられている。カッターホルダー１９は、カッター２０の筐体２１の周囲を取り囲む円筒部分１９ｂと、円筒部分１９ｂの一部から突出する突起部分１９ｃとを具備しており、突起部分１９ｃがホルダー固定具１９ａによりカッター連結部１８に取り付けられている。しかしながら、カッターホルダーの形状はこの実施例に限定されない。可動支持部１７と一体的に動きかつカッター２０を一定の位置に支持できる構造であればよい。
【００２９】
斯かる構成の平板建築資材用カッター装置１０において、傾斜面の上端からタイル３０ａ等を傾斜面に沿わせて投入すると、投入されたタイル３０ａ等は重力により矢印Ｓ１で示すように傾斜方向に沿って滑り落ちていく。適切な位置に設置されたカッター２０の回転刃２２は、滑落してきたタイル３０ａ等を切断する。切断されたタイル３０ａ等はそのまま傾斜面を滑落し続け、傾斜面の下端から送出される。傾斜面の下端から落下するタイル３０ａ等を収容するために適当な容器等を配置しておくことが好ましい。このようにして、タイル３０ａ等は、傾斜台１２とカッターレール１６の間を通り抜け、回転刃２２によりタイル３０ｄに示すように切溝３５が形成される。
【００３０】
好適には、図１及び図２に示すように、傾斜台１２の傾斜方向と平行な方向にて傾斜面の両端間に延在する側面ストッパ１４が設けられる。滑落するタイル３０ａ等の一方の側面を側面ストッパ１４に当接させて横ずれを防止することにより、切断箇所を常に一定とすることができる。側面ストッパ１４は、傾斜面とカッターレール１６との間の隙間を通るように設置される。側面ストッパ１４の厚さは、タイル３０ａ等の側面を当接させて安定させるためにタイル３０ａ等の厚さに応じて適宜決定される。さらに、好適には、矢印Ｓ２で示すように、側面ストッパ１４を傾斜方向に垂直な方向に可動とする。このように側面ストッパ１４を移動することによってもタイル３０ａ等の切断箇所を調節できる。
【００３１】
図３は、図１及び図２に示した実施例におけるカッターレール１６近傍を示した部分図である。図３（Ａ）は、傾斜台１２を正面から見た部分図であるが、カッター連結部１８に取り付けるカッターホルダー及びカッターの図示を省略している。回転刃２２の位置を破線で示している。可動支持部１７が矢印Ｓ０のようにカッターレール１６に沿って左右に動くのに伴って、回転刃２２の位置も左右に動く。これにより、タイル３０ｃに形成される切溝の位置が変わる。
【００３２】
図３（Ｂ）は、図３（Ａ）のＸ２−Ｘ２断面図であり、図３（Ｃ）は、図３（Ａ）のＸ３−Ｘ３断面図である。図３（Ｂ）において、Ｄ１はタイル３０ｃの厚さを示し、Ｄ２は傾斜台１２の傾斜面とカッターレール１６との間の隙間の大きさを示している。Ｄ２はＤ１より大きく、また、側面ストッパ１４はＤ２の隙間を通っている。可動支持部１７の上半部分の形状は、カッター２０を直接的ないしは間接的に取付け支持することが可能であれば任意でよい。尚、可動支持部１７の下面からは、断面形状が台形である嵌合部１７ａが突出している。これが、同じ断面形状をもつレール溝１６ｃと嵌合することにより、可動支持部１７は上方へ脱落することなく横方向に円滑に動くことができる。タイル３０ｃの動きを図３（Ｂ）及び（Ｃ）で説明すると、タイル３０ｃは、側面ストッパ１４に当接しつつ左方向から滑ってきてカッターレールの下を通過した後、回転刃２２により切断され、さらに右方向へ移動していくことになる。
【００３３】
図４は、カッターレール１６の別の実施例を示す図である。図３の実施例と対応する構成要素については同符号を用いている。図３（Ａ）と同様に図４（Ａ）は、傾斜台１２を正面から見た部分図であるが、カッター連結部１８に取り付けるカッターホルダー及びカッターの図示を省略し、回転刃２２の位置を破線で示している。図４の実施例では、カッターレール１６が、一対の棒状のレールロッドを傾斜台の両端間に架け渡すことにより形成されている。そして、可動支持部１７には、一対のレールロッド１６をそれぞれ貫通させる一対の孔からなる嵌合部１７ａが穿設されている。この実施例においても、可動支持部１７が矢印Ｓ０のようにレールロッド１６に沿って左右に動くのに伴って、回転刃２２の位置も左右に動く。また、一対の可動支持部固定具１７ｂをそれぞれ締めることにより可動支持部１７がレールロッド１６に対して固定される。可動支持部１７の位置を変えることより、タイル３０ｃに形成される切溝の位置が変わる。
【００３４】
図４（Ｂ）は、図４（Ａ）のＸ４−Ｘ４断面図であり、図４（Ｃ）は、図４（Ａ）のＸ５−Ｘ５断面図である。図４（Ｂ）において、Ｄ１はタイル３０ｃの厚さを示し、Ｄ２は傾斜台１２の傾斜面とカッターレール１６との間の隙間の大きさを示している。Ｄ２はＤ１より大きく、また、側面ストッパ１４はＤ２の隙間を通っている。タイル３０ｃの動きは、図３の実施例と同様であり、側面ストッパ１４に当接しつつ左方向から滑ってきてカッターレールの下を通過した後、回転刃２２により切断され、さらに右方向へ移動していくことになる。
【００３５】
図５（Ａ）〜（Ｃ）は、カッター２０の回転刃２２の傾斜面からの高さＤ３を調節するためのカッターホルダー１９の取付位置調節手段の一例を示した図である。図５（Ａ）では、回転刃２２の傾斜面からの高さはＤ３である。カッターホルダー１９は、可動支持部１７と一体的なカッター連結部１８の先端部分の一点において軸支されるようにホルダー固定具１９ａにより取り付けられる。ホルダー固定具１９ａは、例えばボルト等の締結具である。従って、ホルダー固定具１９ａを緩めると、ホルダー固定具１９ａの中心を回動軸としてカッターホルダー１９は矢印Ｓ３のように回動することができる。カッターホルダー１９が回動すると、カッターホルダー１９により支持されるカッター２０すなわち回転刃２２の位置が変化する。このとき、回転刃２２の傾斜面からの高さＤ３が変化することとなる。カッターホルダー１９の回動位置を決定した後にホルダー固定具１９ａを締めることにより回転刃を一定の高さに固定することができる。図５（Ｂ）では、回転刃２２の傾斜面からの高さＤ３が図５（Ａ）のときよりも高い位置にある。
【００３６】
図５に示すように回転刃２２の傾斜面からの高さＤ３を変化させることにより、平板建築資材を切断する切溝の深さを変えることができる。図５（Ａ）における回転刃２２の高さは、比較的薄手のタイル３０ａを切断するときの高さであり、図５（Ｂ）におけるそれは、比較的厚手のタイル３１を切断するときの高さである。
【００３７】
尚、タイル３０ａ、３１等を完全に切り離すように切断する場合は、図５（Ｃ）に示すように、回転刃２２を傾斜面に接する位置かそれ以下の位置に下げる必要がある。このような場合のために、傾斜台１２を回転刃２２により損傷しないように、回転刃２２の周縁との間に隙間を設けるための溝１２ａを傾斜台１２の幅方向に亘って穿設してもよい。しかしながら、タイル３０ａ等の移動方向における溝１２ａの長さは、タイル３０ａの円滑な移動を妨げない（例えば、引っ掛かったり落ち込んだりしない）程度の大きさとする。
【００３８】
図６は、本発明による平板建築資材用カッター装置の傾斜台１２の別の実施例を示す図である。図６（Ａ）は、傾斜台１２の平面図である。本実施例における傾斜台１２は、直角の折れ曲がり部分を有する折れ曲がりタイル等の折れ曲がり資材３２に適応させたものである。傾斜台１２の傾斜面上には、傾斜方向に沿って延在するスリット１３が形成されている。このスリット１３は、折れ曲がり資材３２の折れ曲がり部分を受容するためのものである。図６（Ｂ）は、図６（Ａ）のＸ６−Ｘ６断面図である。スリット１３の深さＤ４は、折れ曲がり部分よりも長くする必要がある。折れ曲がり資材３２を切断する際には、折れ曲がり部分をスリット１３に落とし込んだ状態で、傾斜台１２に投入する。投入された折れ曲がり資材３２は、この状態のまま傾斜面を滑り落ちる。
【００３９】
図７は、本発明による平板建築資材用カッター装置の傾斜台１２のさらに別の実施例を示す図である。図７（Ａ）は、傾斜台１２の平面図である。図７（Ｂ）は、図７（Ａ）のＸ７−Ｘ７断面図である。本実施例では、傾斜台１２の幅方向において一方の側が他方の側より低くなるように、第２の傾斜が設けられている。第２の傾斜の角度をθ２で示す。このように本来の傾斜方向と垂直な方向に第２の傾斜を設けた場合、タイル３０ａを側面ストッパ１４より傾斜の高い側に位置するように当接させる。これにより、タイル３０ａが側面ストッパ１４の方へ押し当てられることになり、タイル３０ａの横ずれ防止効果がさらに高まる。この場合も重力を利用したものである。尚、第２の傾斜の角度θ２は、タイル３０ａを側面ストッパ１４へ押し当てる効果が実現される程度に任意に設定される。尚、本実施例においても、カッターレールは傾斜面と平行に設置されるので、回転刃によるタイル切断面は垂直のままであり、斜めになることはない。
【００４０】
図８は、本発明による平板建築資材用カッター装置の回転刃２２の面の角度調節手段に関する実施例を示す図である。図８（Ａ）では、カッター２０がカッターホルダー１９の円筒部分１９ｃ内に支持されており、円筒部分１９ｃの軸は傾斜台１２の傾斜面に平行に固定されている。図８（Ａ）では、カッター２０から延びるカッター駆動軸２２ａの先端に取り付けられた回転刃２２の面は、傾斜面に対して垂直に立っている。従って、タイル３０ａの切断面３９もまたタイル両面に垂直である。ここで、円筒形状のカッター２０をカッターホルダー１９内でその軸周りに回転させることにより、図８（Ｂ）の矢印Ｓ５で示すように回転刃２２の傾斜面に対する角度を変更することができる。図８（Ｂ）は、回転刃２２の面が傾斜面に対して垂直な方向ではなく傾いた方向に固定された状態である。このとき、タイル３０ａの切断面３９もまたタイル両面に垂直ではなく傾斜した方向に切断されることとなる。タイルの用途に応じてこのような切断方法も可能である。尚、回転刃２２の面の傾斜台の傾斜面に対する角度を調節する手段は、図示のものに限られない。
【００４１】
以上では、主として本発明の一実施例に沿って本発明を説明したが、本発明の原理に沿って公知の技術を用いて部分的な改変を行うことも可能である。例えば、カッターレール及び可動支持部のスライド機構、回転刃の高さ調節機構については、種々の実施例が考えられる。
【図面の簡単な説明】
【００４２】
【図１】本発明による平板建築資材用カッター装置の一実施例の外観を示す側面図である。
【図２】図１に示した矢印Ｘ１に沿って平板建築資材用カッター装置を見たＸ１矢視図である。
【図３】図１及び図２に示した実施例におけるカッターレール近傍を示した部分図である。（Ａ）は、傾斜台を正面から見た部分図である。（Ｂ）は、（Ａ）のＸ２−Ｘ２断面図であり、（Ｃ）は、（Ａ）のＸ３−Ｘ３断面図である。
【図４】カッターレールの別の実施例を示す図である。（Ａ）は、傾斜台１２を正面から見た部分図である。（Ｂ）は、（Ａ）のＸ４−Ｘ４断面図であり、（Ｃ）は、（Ａ）のＸ５−Ｘ５断面図である。
【図５】（Ａ）〜（Ｃ）は、カッターの回転刃の傾斜面からの高さを調節するためのカッターホルダーの取付位置調節手段の一例を示した図である。
【図６】本発明による平板建築資材用カッター装置の傾斜台の別の実施例を示す図である。（Ａ）は、傾斜台１２の平面図である。（Ｂ）は、（Ａ）のＸ６−Ｘ６断面図である。
【図７】本発明による平板建築資材用カッター装置の傾斜台のさらに別の実施例を示す図である。（Ａ）は、傾斜台の平面図である。（Ｂ）は、（Ａ）のＸ７−Ｘ７断面図である。
【図８】本発明による平板建築資材用カッター装置の回転刃の設置方法に関する実施例を示す図である。
【符号の説明】
【００４３】
１０  平板建築資材カッター装置
１２  傾斜台
１３  折れ曲がり資材用スリット
１４  側面ストッパ
１４ａ、１４ｂ  ストッパ固定具
１６  カッターレール
１６ａ、１６ｂ  レール取付部
１６ｃ  レール溝
１７  可動支持部
１７ａ  嵌合部
１７ｂ  可動支持部固定具
１８  カッター連結部
１９  カッターホルダー
１９ａ  ホルダー固定具
２０  カッター
２１  カッター筐体
２２  回転刃
２２ａ  回転刃駆動軸
２３  回転刃カバー
２４  電源コード
３０ａ、３０ｂ、３０ｃ：平板建築資材
３１  厚型平板建築資材
３２  折れ曲がり資材
４０ａ、４０ｂ：傾斜台支持脚
【図１】
2005131958.tif 000003
【図２】
2005131958.tif 000004
【図３】
2005131958.tif 000005
【図４】
2005131958.tif 000006
【図５】
2005131958.tif 000007
【図６】
2005131958.tif 000008
【図７】
2005131958.tif 000009
【図８】
2005131958.tif 000010